(57)【要約】【課題】安価で携帯性のよいＬＥＤ停電灯及びＬＥＤ停電灯の使用方法を提供する。【解決手段】停電時に自動的に点灯する停電灯２００であって、コンセントに接続された家電製品の電源コードＣまわりに発生する電界によって誘導起電力を発生させ得るアンテナ１０と、誘導起電力が発生しないときに電圧信号を発生させ誘導起電力が発生したときには電圧信号を発生させない反転回路３０と、ＬＥＤランプ４１を有するとともに、反転回路３０による電圧信号によって通電しＬＥＤランプ４１を点灯させるＬＥＤドライブ回路４０と、反転回路３０とＬＥＤドライブ回路４０の電源となる乾電池５０と、を備える。【選択図】図１
2017112050.tif 000002
【特許請求の範囲】
【請求項１】
停電時に自動的に点灯する停電灯であって、
コンセントに接続された家電製品の電源コードまわりに発生する電界によって誘導起電力を発生させ得るアンテナと、
前記誘導起電力が発生しないときに電圧信号を発生させ前記誘導起電力が発生したときには前記電圧信号を発生させない反転回路と、
ＬＥＤランプを有するとともに、前記反転回路による電圧信号によって通電し前記ＬＥＤランプを点灯させるＬＥＤドライブ回路と、
前記反転回路と前記ＬＥＤドライブ回路の電源となる乾電池と、を備えることを特徴とするＬＥＤ停電灯。
【請求項２】
前記アンテナと前記反転回路の間に、前記アンテナからの誘導起電力を増幅させる増幅回路を備え、
前記乾電池は前記増幅回路の電源でもあることを特徴とする請求項１に記載のＬＥＤ停電灯。
【請求項３】
前記回路及び乾電池をケースに内蔵し持ち運び可能としたことを特徴とする請求項１又は２に記載のＬＥＤ停電灯。
【請求項４】
前記アンテナは銅箔であることを特徴とする請求項１乃至３のうちいずれか一つに記載のＬＥＤ停電灯。
【請求項５】
請求項１乃至４に記載のＬＥＤ停電灯の使用方法であって、
前記アンテナの近傍に、電源プラグがコンセントに差し込まれた家電製品の電源コードを配置することを特徴とするＬＥＤ停電灯の使用方法。
【請求項６】
前記ＬＥＤ停電灯には前記アンテナの近傍にコード支持部が設けられ、
前記コード支持部に前記電源コードを支持させることを特徴とする請求項５に記載のＬＥＤ停電灯の使用方法。
【発明の詳細な説明】
【技術分野】
【０００１】
本発明は、停電時に自動的に点灯するＬＥＤ停電灯及びＬＥＤ停電灯の使用方法に関するものである。
【背景技術】
【０００２】
夜間に停電したときには、室内を懐中電灯等で照らした上で必要に応じて行動したいが、まずはその懐中電灯等を暗闇の中で探さなければならず、慣れた自宅であっても暗闇の中を移動するのは非常に危険である。
そこで停電時において自動的に点灯する停電灯（非常灯）が開示されている（例えば、特許文献１，２参照）。
【０００３】
これらの停電灯は、図５のように蛍光灯タイプや白熱球タイプのものがあり、いずれでも蓄電池（図示しない）を備えるとともに、通常時には通常の照明として作動する。そして、停電を検出すると自動的に電源を交流電源から蓄電池に切り替えて、停電灯として作動する。
【先行技術文献】
【特許文献】
【０００４】
【特許文献１】特開２０１３−１２７９１７号公報
【特許文献２】特開２０１４−１６０６３０号公報
【発明の概要】
【発明が解決しようとする課題】
【０００５】
しかしながら、これらの停電灯１００ではその停電灯１００が設置されている部屋（場所）しか明るくすることができないという問題がある。一方、各部屋に停電灯１００を導入するとコストが嵩んでしまう。
【０００６】
また、これらの停電灯１００は携帯するものではないので、その停電灯１００を持って他の場所に移動することもできない。
携帯可能な停電灯１００もあるが、電源を交流電源から取って蓄電池に蓄電しているので、高価であり、かつ重量の点からも携帯に適しているとはいえないのが現状である。
【０００７】
そこで、本発明の目的とするところは、安価で携帯性のよいＬＥＤ停電灯及びＬＥＤ停電灯の使用方法を提供することにある。
【課題を解決するための手段】
【０００８】
上記の目的を達成するために、本発明の請求項１に記載のＬＥＤ停電灯（２００）は、停電時に自動的に点灯する停電灯（２００）であって、コンセントに接続された家電製品の電源コード（Ｃ）まわりに発生する電界によって誘導起電力を発生させ得るアンテナ（１０）と、前記誘導起電力が発生しないときに電圧信号を発生させ前記誘導起電力が発生したときには前記電圧信号を発生させない反転回路（３０）と、ＬＥＤランプ（４１）を有するとともに、前記反転回路（３０）による電圧信号によって通電し前記ＬＥＤランプ（４１）を点灯させるＬＥＤドライブ回路（４０）と、前記反転回路（３０）と前記ＬＥＤドライブ回路（４０）の電源となる乾電池（５０）と、を備えることを特徴とする。
【０００９】
また、請求項２に記載のＬＥＤ停電灯（２００）は、前記アンテナ（１０）と前記反転回路（３０）の間に、前記アンテナ（１０）からの誘導起電力を増幅させる増幅回路（２０）を備え、前記乾電池（５０）は前記増幅回路（２０）の電源でもあることを特徴とする。
【００１０】
また、請求項３に記載のＬＥＤ停電灯（２００）は、前記回路及び乾電池（５０）をケース（６０）に内蔵し持ち運び可能としたことを特徴とする。
【００１１】
また、請求項４に記載のＬＥＤ停電灯（２００）は、前記アンテナ（１０）は銅箔であることを特徴とする。
【００１２】
また、請求項５に記載のＬＥＤ停電灯（２００）の使用方法であって、前記アンテナ（１０）の近傍に、電源プラグがコンセントに差し込まれた家電製品の電源コード（Ｃ）を配置することを特徴とするＬＥＤ停電灯（２００）の使用方法は、請求項１乃至４に記載のＬＥＤ停電灯（２００）の使用方法であって、前記アンテナ（１０）の近傍に、電源プラグがコンセントに差し込まれた家電製品の電源コード（Ｃ）を配置することを特徴とする。
【００１３】
また、請求項６に記載のＬＥＤ停電灯（２００）の使用方法は、前記ＬＥＤ停電灯（２００）には前記アンテナ（１０）の近傍にコード支持部（６１）が設けられ、前記コード支持部（６１）に前記電源コード（Ｃ）を支持させることを特徴とする。
【００１４】
ここで、上記括弧内の記号は、図面および後述する発明を実施するための形態に掲載された対応要素または対応事項を示す。
【発明の効果】
【００１５】
本発明の請求項１に記載の停電灯によれば、コンセントに接続された家電製品の電源コードまわりに発生する電界によって誘導起電力を発生させ得るアンテナと、誘導起電力が発生しないときに電圧信号を発生させ誘導起電力が発生したときには電圧信号を発生させない反転回路と、ＬＥＤランプを有するとともに、反転回路による電圧信号によって通電しＬＥＤランプを点灯させるＬＥＤドライブ回路と、反転回路とＬＥＤドライブ回路の電源となる乾電池と、を備えるので、停電時にＬＥＤランプを点灯することができる。
【００１６】
また、電源として交流電源を必要せず、停電ではない通常時に電源として乾電池を使用するので、電源プラグやそれに繋がる電源コードは不要なコードレスであり、持ち運び可能である。
また、乾電池を使用するのでコストが低廉で、しかも重量が抑制され持ち運び容易である。
このとき、請求項３に記載のように回路及び乾電池をケースに内蔵することで携帯性が向上する。
【００１７】
また、請求項２に記載の停電灯によれば、請求項１に記載の発明の作用効果に加え、アンテナと反転回路の間に、アンテナからの誘導起電力を増幅させる増幅回路を備えるので、誘導起電力が微弱であっても誤作動することなく、停電時にのみ作動可能である。
また、乾電池は増幅回路の電源でもあるので、回路全体が乾電池を電源として作動するので、安価かつ軽量で持ち運び容易である。
【００１８】
また、請求項４に記載の停電灯によれば、請求項１乃至３に記載の発明の作用効果に加え、アンテナは銅箔であるので、構成が簡易でかつ安価である。
【００１９】
また、請求項５に記載のＬＥＤ停電灯の使用方法によれば、アンテナの近傍に、電源プラグがコンセントに差し込まれた家電製品の電源コードを配置するだけで、容易に停電を検出可能である。
【００２０】
また、請求項６に記載のＬＥＤ停電灯の使用方法によれば、請求項５に記載の発明の作用効果に加え、ＬＥＤ停電灯にはアンテナの近傍にコード支持部が設けられ、コード支持部に電源コードを支持させるので、確実に電源コードを支持可能で、電源コードがアンテナから不意に離れて誤作動することを抑制できる。
【００２１】
なお、本発明のＬＥＤ停電灯及びＬＥＤ停電灯の使用方法のように、乾電池を使用し、家電製品の電源コードまわりに発生する電界の有無を検出して点灯する点は、上述した特許文献１には全く記載されていない。
【図面の簡単な説明】
【００２２】
【図１】本発明の実施形態に係る停電灯の回路図である。
【図２】図１に示す停電灯の概略構成図である。
【図３】本発明の実施形態に係る停電灯を示す斜視図である。
【図４】本発明の他の実施形態に係る停電灯を示す斜視図である。
【図５】従来例に係る停電灯を示す平面図である。
【発明を実施するための形態】
【００２３】
図１乃至図３を参照して、本発明の実施形態に係るＬＥＤ停電灯２００を説明する。
このＬＥＤ停電灯２００は、停電時に自動的に点灯する停電灯２００であって、アンテナ１０と、増幅回路２０と、反転回路３０と、ＬＥＤドライブ回路４０と、乾電池５０と、を備える。
特に、乾電池５０（ここでは単三乾電池５０三本）を増幅回路２０、反転回路３０、及びＬＥＤドライブ回路４０の電源として使用するので、電源プラグやそれに繋がる電源コードＣは有しておらず、交流電源をその電源として使用しない。
【００２４】
アンテナ１０は、１５ｍｍ角以上の面積を有する銅箔である。アンテナ１０と増幅回路２０は接続されている。
このアンテナ１０としては、コンセントに接続された家電製品の電源コードＣまわりに発生する電界によって誘導起電力を発生させ得る金属片であれば、銅箔に限られるものではない。
ここではこのアンテナ１０はケース６０の内壁に取付けられており、露出していない。このように露出していなくても電界が存在すれば誘導起電力を発生させ得るものである。
もちろん、これに限られるものではなく、アンテナ１０が露出していてもよい。
【００２５】
増幅回路２０は、アンテナ１０からの誘導起電力を増幅させる一般的な電圧増幅回路２０であり、ここではバイポーラトランジスタ（ＮＰＮ型トランジスタ及びＰＮＰ型トランジスタ）が使用されている。
この増幅回路２０における増幅度は、増幅回路２０の下流にある反転回路３０が電圧のＯＮとＯＦＦを判別可能な程度に大きくする。
【００２６】
反転回路３０は、増幅回路２０で増幅された電圧に基づき、誘導起電力が発生しないときに電圧信号を発生させ、誘導起電力が発生したとき（増幅回路２０で増幅された電圧を検知したとき）には電圧信号を発生させない。
具体的にはＦＥＴ（電界効果トランジスタ：Ｆｉｅｌｄ  Ｅｆｆｅｃｔ  Ｔｒａｎｓｉｓｔｏｒ）と抵抗二個によって構成され、これも反転回路３０として一般的な構成である。
【００２７】
ＬＥＤドライブ回路４０は、反転回路３０の下流に配置され、ＬＥＤランプ４１を有するとともに、反転回路３０による電圧信号によって通電しＬＥＤランプ４１を点灯させる。
詳しくは、ＦＥＴのゲートに反転回路３０から電圧が印加されるとき、すなわち停電時にはＦＥＴのドレイン−ソース間が通電してＬＥＤランプ４１が点灯する。一方、ＦＥＴのゲートに反転回路３０から電圧が印加されないとき、すなわち通常時にはＦＥＴのドレイン−ソース間に電流は流れないのでＬＥＤランプ４１は消灯したままである。
また、ＬＥＤランプ４１（ＬＥＤ素子）の個数は、ＬＥＤ停電灯２００として必要な光量によって設計される。
【００２８】
これらの増幅回路２０、反転回路３０、及びＬＥＤドライブ回路４０は、回路基板６２に配置されるとともに乾電池５０に対して並列に配置されており、その乾電池５０が増幅回路２０、反転回路３０、及びＬＥＤドライブ回路４０の電源である。
そして、本実施形態に係るＬＥＤ停電灯２００は乾電池５０以外の電源（交流電源）を必要としない。
【００２９】
増幅回路２０、反転回路３０、及びＬＥＤドライブ回路４０はケース６０に内蔵されており、ＬＥＤランプ４１については、ケース６０の透明部分をその光が透過するようになっている。
また、図３に示すように、このケース６０の外側の一面である、アンテナ１０が配置された近傍にはコード支持部６１であるフック６１が設けられており、そのフック６１に他の家電製品の電源コードＣを引っ掛けることが可能である。
このフック６１の幅（ケース６０から離れる方向の幅）は電源コードＣを引っ掛けることが出来る範囲内で、あまり広くなく、フック６１に引っ掛けた電源コードＣがアンテナ１０から離れてしまうことを防止するようになっている。
【００３０】
次に、このように構成されたＬＥＤ停電灯２００の使用方法について説明する。
このＬＥＤ停電灯２００を電源プラグがコンセントに差し込まれた家電製品の側に配置する。この家電製品とは、ＬＥＤ停電灯２００以外のテレビ，ＤＶＤデッキ，冷蔵庫，電子レンジ等の家電製品であって、常時その電源プラグがコンセントに差し込まれている家電製品である。待機電力を必要とするか否かは関係ない。
【００３１】
そして、その家電製品の電源コードＣを、ＬＥＤ停電灯２００のコード支持部６１に支持させることで、アンテナ１０の近傍にその電源コードＣを配置する。
【００３２】
この状態で、停電を待つ。このとき、家電製品の電源コードＣのまわりに電界が生じているのでアンテナ１０では誘導起電力が発生しており、反転回路３０を介してＬＥＤドライブ回路４０が通電しない状態となっている。
一方停電になると、電源コードＣまわりに電界が発生しなくなり、アンテナ１０での誘導起電力が無くなる。それに伴って反転回路３０では電圧信号が発生し、ＬＥＤドライブ回路４０が通電してＬＥＤランプ４１が点灯する。
【００３３】
このように一度ＬＥＤランプ４１が点灯すれば、フック６１に引っ掛けた家電製品の電源コードＣを外すだけで、本実施形態に係るＬＥＤ停電灯２００を持ち運び可能である。乾電池５０を使用しておりかつＬＥＤランプ４１が点灯したときには反転回路３０には電圧が印加されないので、ＬＥＤ停電灯２００を持ち運んでもＬＥＤランプ４１は消灯しない。
【００３４】
以上のように構成されたＬＥＤ停電灯２００によれば、コンセントに接続された家電製品の電源コードＣまわりに発生する電界によって誘導起電力を発生させ得るアンテナ１０と、誘導起電力が発生しないときに電圧信号を発生させ誘導起電力が発生したときには電圧信号を発生させない反転回路３０と、ＬＥＤランプ４１を有するとともに、反転回路３０による電圧信号によって通電しＬＥＤランプ４１を点灯させるＬＥＤドライブ回路４０と、反転回路３０とＬＥＤドライブ回路４０の電源となる乾電池５０と、を備えるので、停電時にＬＥＤランプ４１を点灯することができる。
【００３５】
また、電源として交流電源を必要せず、停電ではない通常時に電源として乾電池５０を使用するので、電源プラグやそれに繋がる電源コードＣは不要なコードレスであり、持ち運び可能である。
また、乾電池５０を使用するのでコストが低廉で、しかも重量が抑制され持ち運び容易である。
このとき、回路及び乾電池５０をケース６０に内蔵することで携帯性が向上している。
【００３６】
また、アンテナ１０と反転回路３０の間に、アンテナ１０からの誘導起電力を増幅させる増幅回路２０を備えるので、誘導起電力が微弱であっても誤作動することなく、停電時にのみ作動可能である。
また、乾電池５０は増幅回路２０の電源でもあるので、回路全体が乾電池５０を電源として作動するので、安価かつ軽量で持ち運び容易である。
【００３７】
さらに、アンテナ１０は銅箔であるので、構成が簡易でかつ安価である。
また、アンテナ１０の近傍に、電源プラグがコンセントに差し込まれた家電製品の電源コードＣを配置するだけで、容易に停電を検出可能である。
しかも、ＬＥＤ停電灯２００にはアンテナ１０の近傍にコード支持部６１が設けられ、コード支持部６１に電源コードＣを支持させるので、確実に電源コードＣを支持可能で、電源コードＣがアンテナ１０から不意に離れて誤作動することを抑制できる。
【００３８】
また、反転回路３０ではＦＥＴを使用しているので、省電力で乾電池５０が長持ちする。
【００３９】
なお、各回路の構成は本実施形態のものに限られるものではなく、アンテナ１０で誘導起電力が発生しないときにＬＥＤランプ４１が点灯する機能の回路であればいずれでもよい。
また、各回路をＩＣ化してもよい。
【００４０】
また、停電時ではない通常時に使用可能なように、手動のスイッチがついていてもよい。
【００４１】
また、電源コードＣを確実にアンテナ１０近傍に配置可能ならば、図４に示すように、ＬＥＤ停電灯２００がコード支持部６１を備えていなくてもよい。このアンテナ１０近傍とは、アンテナ１０に誘導起電力が発生する程度に電源コードＣが近接していることをいう。
その他にも、アンテナ１０をケース６０底部に設けるとともにケース６０底部で電源コードＣを踏む又は押さえ込むようにして、確実に電源コードＣをアンテナ１０近傍に配置する構成としてもよい。
【００４２】
また、ＬＥＤ停電灯２００のケース６０はＬＥＤランプ４１の明るさ及び携帯性を適度に有していれば、どのような形状・デザインであってもよい。
【符号の説明】
【００４３】
１０      アンテナ
２０      増幅回路
３０      反転回路
４０      ＬＥＤドライブ回路
４１      ＬＥＤランプ
５０      乾電池
６０      ケース
６１      コード支持部（フック）
６２      回路基板
１００      停電灯
２００      停電灯
Ｃ      電源コード
【図１】
2017112050.tif 000003
【図２】
2017112050.tif 000004
【図３】
2017112050.tif 000005
【図４】
2017112050.tif 000006
【図５】
2017112050.tif 000007